(57)【特許請求の範囲】
【請求項１】
インバータ制御装置と、運転モードを設定してそれを数値データ表示部に表示する操作卓とを有し、交流電動機を可変速制御するインバータ装置において、
前記操作卓に、
前記数値データ表示部の傍らに、同列数で複数段を構成するように縦横に並べて設けた複数の機能表示ランプと、
前記インバータ制御装置の演算装置からの信号を入力して前記交流電動機の回転方向を、前記機能表示ランプの時計回りまたは反時計回りの点滅順序により、前記交流電動機の回転方向と同一回転方向に表示制御する点滅パターン作成部とを具えたことを特徴するインバータ装置。
【請求項２】
前記機能表示ランプの複数段を用いて、時計回りまたは反時計回りに機能表示ランプを点滅させることを特徴とする請求項１に記載のインバータ装置。
【請求項３】
機能表示ランプの点滅は、前記機能表示ランプの列の両端まで用いて幅広く行なうことを特徴とする請求項１または２に記載のインバータ装置。
【発明の詳細な説明】
【０００１】
【産業上の利用分野】
本発明は、交流電動機を可変速制御するインバータ装置に関する。
【０００２】
【従来の技術】
従来インバータの運転モードを設定、表示する操作卓を有するインバータ装置は、図３に示す数値データを表示する発光ダイオード１５と交流電動機の回転方向を表示する発光ダイオード１６とを具えた表示部１４と、表示部の表示内容を切り替える操作部（図示せず）とより構成し、インバータの運転モードの設定時には、操作部を操作して表示部１４に運転項目、例えば、周波数指令設定をコード番号で表示し、次に操作部を操作してそのコード番号の数値を表示部１４に表示させ、その数値を変更するときは操作部のキーを操作して数値を変更し記憶手段に記憶させている。このようにして運転項目を順次設定している。運転モードを設定した後、起動スイッチを入れて起動すると、交流電動機は設定された運転モードにしたがって回転する。この運転状態で操作部のキーを操作すると、その時の出力周波数、出力電流を表示部に表示し、正転あるいは逆転の回転方向の表示は、発光ダイオード１６を点灯もしくは点滅させて表示していた。
【発明が解決しようとする課題】
しかし、運転項目は数が多く、その中には設定作業者にとっては標準設定のままでよい場合や、適用する環境おいては関係がない運転項目もあり、運転項目の設定変更は複雑で分かりにくく、設定作業者が漏れなくかつ誤りなく所要の設定対象を選択するために多大の注意と設定時間を必要としており、このように設定した運転条件にしたがって交流電動機を運転したとき、その交流電動機の回転方向を発光ダイオードの点灯もしくは点滅で表示しているため、回転方向が直感的に判別しにくかった。
本発明は、このような従来の欠点を除去するためになされたものでインバータ装置の操作性を向上させるとともに、交流電動機の回転方向の表示をわかりやすくすることを目的とする。
【０００４】
【課題を解決するための手段】
上記目的を達成するために、本発明は次のように構成したものである。
請求項１の発明は、インバータ制御装置と、運転モードを設定してそれを数値データ表示部に表示する操作卓とを有し、交流電動機を可変速制御するインバータ装置において、前記操作卓に、前記数値データ表示部の傍らに、同列数で複数段を構成するように縦横に並べて設けた複数の機能表示ランプと、前記インバータ制御装置の演算装置からの信号を入力して前記交流電動機の回転方向を、前記機能表示ランプの時計回りまたは反時計回りの点滅順序により、前記交流電動機の回転方向と同一回転方向に表示制御する点滅パターン作成部とを具えるようにしている。
また、請求項２の発明は、前記機能表示ランプの複数段を用いて、時計回りまたは反時計回りに機能表示ランプを点滅させるようにしている。
さらに、請求項３の発明は、機能表示ランプの点滅は、前記機能表示ランプの列の両端まで用いて幅広く行なうようにしている。
【０００５】
【作用】
上記手段により、運転項目の設定が確実となり、交流電動機が回転するとその回転にしたがって、同じ回転方向に、機能表示ランプが時計回りまたは反時計回りで回って点滅し、交流電動機の回転方向をわかりやすく表示する。
【０００６】
【実施例】
以下、本発明の実施例を図１、２について説明する。
図１は本発明の実施例を示すブロック図、図２はインバータ装置の操作卓の正面図を示している。１は電源、２はインバータ装置、３は交流電動機、４はインバータ制御装置で、後記操作卓１０に設けた操作キーからの信号を入力して運転モードを演算する演算装置５（以下、ＣＰＵという）と、このＣＰＵからの信号を随時書込み読み取り記憶装置６および読み取り専用記憶装置７が接続してある。前記専用記憶装置には、交流電動機を標準で運転するときの運転項目の数値データが記憶されている。８は数値データ作成部で、ＣＰＵからの信号を入力してインバータ装置の多数の運転モードに関連して設定する複数の運転項目の数値データを作成し、操作卓１０の数値データ表示部１１に出力する。９は機能表示ランプの点滅パターン作成部で、ＣＰＵからの信号を入力して複数の運転項目中運転に不可欠な基本機能を表示する操作卓１０の機能表示ランプ１２を点灯させる。また、交流電動機の運転中は、ＣＰＵからの信号を入力して交流電動機の回転方向を表示する機能表示ランプを順次点滅させる回転点滅パターンと、回転速度を表示する機能点滅ランプを順次点滅させる点滅速度パターンを作成して機能表示ランプに出力する。１０は操作卓で、図２に示すように、数値データ表示部１１、前記数値データ表示部１１の傍らに配置された機能表示ランプ１２、および前記機能表示ランプ１２の傍らに配置された操作キー１３が設けてある。機能表示ランプ１２は、インバータ装置の種々の運転モードに関連して設定指示する複数の機能を運転上不可欠な基本機能群と前記基本機能群外の附加機能群に分類し、前記基本機能群の設定モードの機能を表示するもので、周波数指令設定１２Ａ、出力周波数モニタ１２Ｂ、出力電流モニタ１２Ｃ、加速時間１２Ｄ、減速時間１２Ｅ、オペレータＲＵＮ１２Ｆ、最高出力周波数１２Ｇ、最大電圧１２Ｈ、最大電圧出力周波数１２Ｉ、モータ定格電流Ｊ、運転方法選択１２Ｋ、パラメータ選択設定モード１２Ｌが設けられ、この機能表示ランプを縦横に並べて配置され、前記点滅パターン作成部９からの信号により機能表示ランプを点滅するようにしてある。操作キー１３は、運転時運転項目切替えキー１３Ａ、数値データ入力キー１３Ｂ、数値データ変更キー１３Ｃ、運転指令キー１３Ｄ、停止指令キー１３Ｅからなり、その出力をインバータ制御装置４の演算装置５に出力するようにしてある。
このように構成したインバータ装置において、インバータの機能を設定するときは、電源１が投入されると、インバータ制御装置４のＣＰＵ５からの出力を入力して機能表示ランプ１２Ａが点灯し、その運転機能に対応する数値データが数値データ表示部１１に出力しその数値を表示する。
いま、この基本機能の運転項目の数値データを変更するときは、操作卓１０に設けた数値データ変更キー１３Ｃを操作して数値を変更し、数値データ入力キー１３Ｂを操作して記憶装置７にその数値を入力する。つぎに、基本機能のつぎの運転項目の数値データを変更するときは、運転項目切替えキー１３Ａを操作すると、つぎの運転項目の基本機能の機能表示ランプ１２Ｂが点灯し、その運転機能に対応する数値データが数値データ表示部１３に出力しその数値を表示する。このようにして順次運転項目中運転に不可欠な基本機能およびこの基本機能外の運転項目を設定する。
つぎに、操作卓１０の運転指令キー１３Ｄを操作すると、設定された運転条件にしたがって交流電動機３が回転し、点滅パターン作成部９からの信号により機能表示ランプ１２を予め設定した交流電動機の回転方向に一致するように一定の点滅速度で順次点滅させて回転方向を表示する。いま、交流電動機の回転方向が正転の場合は機能表示ランプが１２Ｇ−１２Ｊ−１２Ｋ−１２Ｌ−１２Ｉ−１２Ｈ−１２Ｇと反時計方向の点滅パターンで順次点滅して交流電動機の回転方向を表示する。交流電動機３の回転速度が速くなると点滅速度もその回転速度に応じて速くなる。実施例では、機能表示ランプの下２段を点滅させて回転方向を表示するようにしたがこれに限ることはない。
【０００７】
【発明の効果】
上述のように本発明は、数値データ表示部の傍らに、同列数で複数段を構成するように縦横に複数の機能表示ランプを設け、前記複数の機能表示ランプを点灯させてインバータ装置の運転項目の機能を表示させるとともに、その運転項目の数値を数値データ表示部に表示させて変更して設定するので、インバータ装置の操作性が向上する。
また、前記交流電動機の回転方向の表示を、前記機能表示ランプの複数段を用いて、さらには、前記機能表示ランプの列の両端まで用いて、時計回りまたは反時計回りに機能表示ランプを点滅させるようにして幅広く行なうようにしているので、インバータ装置の回転表示がわかり易くなる。
【図面の簡単な説明】
【図１】本発明の実施例を示すブロック図
【図２】図１の操作卓の正面図
【図３】従来の操作卓の表示部を示す図
【符号の説明】
１  電源    ２  インバータ装置    ３  交流電動機
４  インバータ制御装置    ５  演算装置    ６  記憶装置
７  専用記憶装置    ８  数値データ作成部    ９  点滅パターン作成部
１０  操作卓    １１  数値データ表示部    １２  機能表示ランプ
１２Ａ  周波数指令設定    １２Ｂ  出力周波数モニタ
１２Ｃ  出力電流モニタ    １２Ｄ  加速時間    １２Ｅ  減速時間
１２Ｆ  オペレータＲＵＮ    １２Ｇ  最高出力周波数
１２Ｈ  最大電圧    １２Ｉ  最大電圧出力周波数
１２Ｊ  モータ定格電流    １２Ｋ  運転方法選択
１３  操作キー
【図１】
0003684553.tif 000002
【図２】
0003684553.tif 000003
【図３】
0003684553.tif 000004